(57)【要約】      （修正有）【課題】耐用年数と強度の二つの要求を満足させる点である。【解決手段】ポリエステル系合成繊維の平組織からなる内層２と、高機能繊維の平組織からなる外層が一体に逢着されてなり、内層２をロープＲ表面に接当させてロープ外周を囲繞するようにした。【効果】ロープの外周を外層が高機能繊維を用いた平組織のプロテクターで囲繞するので、このプロテクターそのものの耐用年数を向上でき、また、強度をアップでき、もって結果としては廉価に提供できる。【選択図】図３
0003105015.tif 000002
【実用新案登録請求の範囲】
【請求項１】
ポリエステル系合成繊維からなる内層生地と、高機能繊維からなる外層生地が重合されて
一体に縫着されてなり、内層生地をロープ表面に接当させてロープ外周を囲繞するように
したことを特徴とするロープのプロテクター。
【請求項２】
高機能繊維からなる一重の生地から構成されていることを特徴とするロープのプロテクタ
ー。
【請求項３】
ポリエステル系合成繊維からなる生地の表裏両面に高機能繊維からなる外層生地が重合さ
れて一体に縫着されてなり、内層の高機能繊維からなる生地をロープ表面に接当させてロ
ープ外周を囲繞するようにしたことを特徴とするロープのプロテクター。
【請求項４】
ロープの長さ方向に沿う二つの辺縁の内、一方の外面と他方の内面に、布ファスナが設け
られている請求項１〜３のいずれかに記載のロープのプロテクター。
【請求項５】
高機能繊維が、全芳香族ポリアミド繊維、全芳香族ポリエステル繊維、ポリパラフェニレ
ンベンゾビスオキサゾール繊維、ポリビニルアルコール系繊維及び超高分子量ポリエチレ
ン繊維のいずれかである請求項１〜４のいずれかに記載のロープのプロテクター。
【考案の詳細な説明】
【技術分野】
【０００１】
この考案は、例えば船舶用ホーサーロープ、タグボート用曳綱、船舶用ロープ、養殖, 
定置, 底曳等の水産漁業用ロープ、又は陸上用一般ロープなどあらゆるロープに適用でき
るロープのプロテクターに関する。
【背景技術】
【０００２】
例えばタグボート用曳綱や船舶用ホーサーロープに例をとると、ロープは通常その船舶
の各部位、例えばクリート（耳形綱止め）、更には曳航ビットや舷側ビット等各部位のビ
ット、また、港などでは係船柱や繋船柱、更には係船環などと接する部位がおおむね決ま
っている。
【０００３】
しかし、これらの接触部では、これら係留具やビットなどとの当り面が摩擦により磨耗
するために、これらの部位にはプロテクター１´と呼ばれる保護材を囲繞して、ロープの
摩損を少なくし、ロープの寿命が少しでも長くなるように工夫されている。具体的には、
図７に示すような、長方形の当て布である。
【０００４】
しかし、この従来のプロテクターは、一般的にはポリエステル繊維を平織りした生地が
採用されていたので、プロテクターそのものの強度が弱く、したがってまた、耐用年数も
短く、充分なプロテクターとしての機能を発揮できない問題がある。具体的には、ロープ
の使用年限の約半分ほどの年数で取り替える必要があった。
【０００５】
そのために、耐用年数が少なくともロープと同じ程度あり、しかも強度上も遥かに強い
ものが望まれている。
【０００６】
そこで、本考案者らは、種々検討を重ねた結果、望ましい耐用年数と強度を備えたプロ
テクターの開発に成功したので、ここに提案する。
【非特許文献１】図１
【考案の開示】
【考案が解決しようとする課題】
【０００７】
したがって、解決しようとする問題点は、耐用年数と強度の二つの要求を満足させる点
である。
【課題を解決するための手段】
【０００８】
以上の技術的な課題を解決するために、この考案の請求項１記載のロープのプロテクタ
ーは、ポリエステル系合成繊維からなる内層生地と、高機能繊維からなる外層生地が重合
された一体に縫着されてなり、内層生地をロープ表面に接当させてロープ外周を囲繞する
ようにしたものである。
【０００９】
以上の構成によるロープのプロテクターは、ロープの船などの各部と接触する部位の表
面に、内層生地を接当させてロープ外周を囲繞するようにして、取り付ける。プロテクタ
ー装着後のロープは、その船などの各部に接触する部位がこのプロテクターで保護されて
いるために、摩擦によって損傷するおそれが少ない。特に、外層生地を高機能繊維で形成
してあるので、このプロテクターそのものの耐用年数を永くでき、また、強度も高く、も
ってロープの耐用年数も高め、所期の目的をうまく達成できる。
【考案の効果】
【００１０】
したがって、この考案の請求項１記載のロープのプロテクターは、ロープの外周を外層
生地として高機能繊維を用いたプロテクターで囲繞するので、その摩損を可及的に少なく
でき、このプロテクターそのものの耐用年数を永くでき、また、強度をアップでき、もっ
て結果としては廉価に提供できる。
【００１１】
この考案においてプロテクターは、請求項２に記載のように、高機能繊維からなる一重
の生地から構成されていたり、請求項３に記載のように、ポリエステル系合成繊維からな
る生地の表裏両面に高機能繊維からなる外層生地が重合されて一体に縫着されてなり、内
層の高機能繊維からなる生地をロープ表面に接当させてロープ外周を囲繞するようにした
りすることができる。
高機能繊維の一重から構成すると、構造が簡単で、結果として廉価に提供できるからで
ある。また、三層構造にすると、強度の更なる向上が図れて、プロテクターの耐用年数を
更にアップできるからである。
【００１２】
また、この考案に係るロープのプロテクターは、請求項４に記載されるように、ロープ
の長さ方向に沿う二つの辺縁の内、一方の外面と他方の内面に、面ファスナを設けるのが
望ましい。
プロテクターのロープに対する着脱を格段に簡便に行え、また、一旦装着した後は不用
意にはその結合が緩んだり、解除されたりしにくく、プロテクター本来の機能を遺憾なく
発揮してくれるからである。
【００１３】
採用される高機能繊維は、全芳香族ポリアミド繊維、全芳香族ポリエステル繊維、ポリ
パラフェニレンベンゾビスオキサゾール繊維、ポリビニルアルコール系繊維及び超高分子
量ポリエチレン繊維などか挙げられる。中でも、超高分子量ポリエチレン繊維であること
が好ましい（請求項５）。
【００１４】
上記全芳香族ポリアミド繊維としては、パラ系アラミド繊維が好適である。このパラ系
アラミド繊維としては、例えば「ケブラー」（商品名  東レ・デュポン株式会社製）、「
テクノーラ」（商品名  帝人株式会社製）などの市販のものも採用できる。
【００１５】
また、全芳香族ポリエステル繊維は、例えば「ベクトラン」（商品名  株式会社クラレ
製）を、ポリパラフェニレンベンゾビスオキサゾール繊維は、例えば「ザイロン」（商品
名  東洋紡株式会社製）を、ポリビニルアルコール系繊維は、「クラロンＫ２」（商品名
株式会社クラレ製）を、超高分子量ポリエチレン繊維は、例えば「ダイニーマ」（商品
名  東洋紡株式会社製）などをそれぞれ採用できる。
【００１６】
また、以上の高機能繊維は、公知又はそれに準ずる方法で製造できる。
【考案を実施するための最良の形態】
【００１７】
耐用年数と強度の二つの要求を満足させるという目的を、簡単な構造で、かつ、廉価に
実現した。
【００１８】
以下、この考案に係るロープのプロテクターを船舶の係留用ロープに適用した場合の実
施の形態を図１〜６の記載に基づいて説明する。
【００１９】
本考案のロープのプロテクター１は、使用される場所によって種々の形状が採用される
が、図１〜５に示すように、基本的にはロープの周長の概略５〜８割増し程度の横幅Ｗを
備えている。長さＬは、各種適宜に設定されるが、２〜５ｍが取り扱いやすさの面から望
ましい。
【００２０】
そしてこのプロテクターは、図２に示すように、内層２となる生地がポリエステル系合
成繊維の平組織で形成され、その外表面に重合積層される外層３となる生地が高機能繊維
の平組織で形成されていて、四周辺に沿って互いに縫着Ｓされている。また、そのロープ
Ｒの長さ方向沿う両辺縁部には、一方の内面に、つまり内層２の内表面２Ａと、他方の外
面、つまり外層３の外表面３Ａとに、それぞれその全長にわたった面ファスナー４が縫着
されている。
【００２１】
尚、図中５は、紐通し用のタブで、プロテクター１のロープ長さ方向の両辺縁部で、幅
方向に所定の間隔を開けて、内層２と外層３との間に挟まれて一体的に縫着されている。
このタブ５は、必ずしも必要ではないが、ロープＲに対するこのプロテクター１の取り付
けをより一層強固にするために採用される。高機能繊維を用いて作られたロープでは見ら
れないが、使用されるロープがポリエステル系合成繊維などの場合には、ロープそのもの
が伸びる傾向にあるため、かかるロープに適用するにはこのタブ５は、取付け位置をしっ
かりと保持させる意味から、より有効に機能する。
【００２２】
以上のように構成されたプロテクターは、図３〜５に示すように、ロープＲの船舶Ｆの
ビット６と接触する部位に、内層２がこのロープＲの外表面に接当するようにして（図３
−Ａ参照）プロテクター１を囲繞し、面ファスナー４によって、その囲繞状態を固定する
（図３−Ｂ参照）。この場合、言うまでもないが、面ファスナー４によって締結される側
の反対側をビット６に接当させることが慣用である（図５参照）。
【００２３】
したがって、ロープＲは常にこのプロテクター１を介してビット６に接触するので、そ
の摩損を可及的に少なくできる。また、プロテクターそのものも外層が高機能繊維で構成
されているため、ビット６との摩擦接触によっても、容易には摩損せず、その耐用年数を
格段に永くできる。
【００２４】
得られたプロテクターについて、発明者等が行った実験の結果では、下記の表に記すよ
うに、強度の面では、従来から一般に用いられているポリエステル繊維のみを採用したも
のに比べて２．８〜４．５倍もの強度アップが図られた。また、磨耗強さについても、３
０〜５０％のアップを図ることができた。その結果、耐用年数は、このポリエステル繊維
を用いた従来例に比べて、約１．５〜２倍に延長できるようになり、結果的には、ポリエ
ステル繊維のみを用いた従来例よりも廉価に提供でき、しかも高機能繊維を用いることで
、内層１並びに外層２に使用される繊維量を少なくでき、ポリエステル繊維のみを採用し
ている従来例に比べて６０〜８０％にまで軽量化でき、取り扱いも一層容易になるという
優れた効果を奏することが分かった。
【００２５】
【表１】
0003105015.tif 000003
【００２６】
尚、図６に示す使用の状態は、曳船用ロープＲに適用した場合を示している。図中、１
はロープＲのビット６との接触部に装着したプロテクター、７は巻き取り機、Ｔはタグボ
ートである。
【００２７】
この発明では、以上の各施例に記載されたプロテクター１の構成の他にも、図示しない
が、例えば一重だけの高繊維機能からなる生地を用いたり、更には図１, ２に示されるポ
リエステル繊維からなる内層２の表面２Ａ側にも高機能繊維からなる生地を宛がって一体
に逢着し、三層構造にする構成も採用できる。
【００２８】
以上のように、高機能繊維の一重から構成すると、構造が簡単で、結果として廉価に提
供できる。また、三層構造にすると、強度の更なる向上が図れて、プロテクター１の耐用
年数を更にアップできる。
【図面の簡単な説明】
【００２９】
【図１】この考案に係るロープのプロテクターを船舶の係留用ロープに適用した実施の形態を示し、プロテクター全体の平面図である。
【図２】図１の側面図である。
【図３】図１の作用の説明図で、（Ａ）は、装着前の平面図、（Ｂ）は装着後の平面図である。
【図４】図１に示されるフプロテクターの具体的な使用例を示す説明図である。
【図５】図４の作用を更に詳細に表した説明図である。
【図６】他の使用例を示す説明図である。
【図７】従来のプロテクターの平面図である。
【符号の説明】
【００３０】
１…プロテクター
２…内層
２Ａ…内表面
３…外層
３Ａ…外表面
４…面ファスナ
５…タブ
６…ビット
７…巻き取り機
Ｒ…ロープ
Ｓ…縫着
Ｔ…タグボート
【図１】
0003105015.tif 000004
【図２】
0003105015.tif 000005
【図３】
0003105015.tif 000006
【図４】
0003105015.tif 000007
【図５】
0003105015.tif 000008
【図６】
0003105015.tif 000009
【図７】
0003105015.tif 000010
【手続補正書】
【提出日】平成16年6月23日(2004.6.23)
【手続補正１】
【補正対象書類名】実用新案登録請求の範囲
【補正対象項目名】全文
【補正方法】変更
【補正の内容】
【実用新案登録請求の範囲】
【請求項１】
ポリエステル系合成繊維からなる内層生地と、高機能繊維からなる外層生地が重合され
て一体に縫着されてなり、内層生地をロープ表面に接当させてロープ外周を囲繞するよう
にしたことを特徴とするロープのプロテクター。
【請求項２】
高機能繊維からなる一重の生地から構成されていて、ロープ表面に接当させてロープ外
周を囲繞するようにしたことを特徴とするロープのプロテクター。
【請求項３】
ポリエステル系合成繊維からなる生地の表裏両面に高機能繊維からなる外層生地が重合
されて一体に縫着されてなり、内層の高機能繊維からなる生地をロープ表面に接当させて
ロープ外周を囲繞するようにしたことを特徴とするロープのプロテクター。
【請求項４】
ロープの長さ方向に沿う二つの辺縁の内、一方の外面と他方の内面に、布ファスナが設
けられている請求項１〜３のいずれかに記載のロープのプロテクター。
【手続補正２】
【補正対象書類名】明細書
【補正対象項目名】００１１
【補正方法】変更
【補正の内容】
【００１１】
この考案においてプロテクターは、請求項２に記載のように、高機能繊維からなる一重
の生地から構成されていて、ロープ表面に接当させてロープ外周を囲繞するようにしたり
、請求項３に記載のように、ポリエステル系合成繊維からなる生地の表裏両面に高機能繊
維からなる外層生地が重合されて一体に縫着されてなり、内層の高機能繊維からなる生地
をロープ表面に接当させてロープ外周を囲繞するようにしたりすることができる。
高機能繊維の一重から構成すると、構造が簡単で、結果として廉価に提供できるからで
ある。また、三層構造にすると、強度の更なる向上が図れて、プロテクターの耐用年数を
更にアップできるからである。
【手続補正３】
【補正対象書類名】明細書
【補正対象項目名】００１３
【補正方法】変更
【補正の内容】
【００１３】
採用される高機能繊維は、全芳香族ポリアミド繊維、全芳香族ポリエステル繊維、ポリ
パラフェニレンベンゾビスオキサゾール繊維、ポリビニルアルコール系繊維及び超高分子
量ポリエチレン繊維などか挙げられる。中でも、超高分子量ポリエチレン繊維であること
が好ましい。
【手続補正４】
【補正対象書類名】明細書
【補正対象項目名】００２７
【補正方法】変更
【補正の内容】
【００２７】
この発明では、以上の各施例に記載されたプロテクター１の構成の他にも、図示しない
が、例えば一重だけの高繊維機能からなる生地を用いて、これをロープ表面に接当させて
ロープ外周を囲繞するようにしたり、更には図１, ２に示されるポリエステル繊維からな
る内層２の表面２Ａ側にも高機能繊維からなる生地を宛がって一体に逢着し、三層構造に
する構成も採用できる。